【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
電気外科用装置が経た消毒／使用サイクル数を追跡する電気外科用カウンタであって、  消毒サイクルと関連する、環境を上回る温度を検出するための手段であって、環境を上回る温度を検出するための手段は温度作動部材を含み、該温度作動部材は形状記憶を含む、環境を上回る温度を検出するための手段と、
前記装置の使用サイクルを検出するための手段と、
を備え、
環境を上回る温度を検出するための前記手段と使用サイクルを検出するための前記手段とを組み合わせて、経た消毒／使用サイクル毎に単一の消毒／使用サイクルが終了したことを示す１つまたは複数の指標の変化を生じさせることを特徴とする電気外科用カウンタ。
【請求項２】
終了した消毒／使用サイクル数の変化を示すための複数の指標を有するインジケータをさらに含むことを特徴とする、請求項１に記載の電気外科用カウンタ。
【請求項３】
アクチュエータをさらに含むことを特徴とする、請求項１に記載の電気外科用カウンタ。
【請求項４】
前記アクチュエータは、前記インジケータ、環境を上回る温度を検出するための前記手段、および使用サイクルを検出するための前記手段に連結されていることを特徴とする、請求項３に記載の電気外科用カウンタ。
【請求項５】
前記アクチュエータは、経た消毒／使用サイクル数または残りの消毒／使用サイクル数の変化をユーザに示すように、前記１つまたは複数の指標を変化させることを特徴とする、請求項４に記載の電気外科用カウンタ。
【請求項６】
前記アクチュエータは、環境を上回る温度を検出するための前記手段が作動したときに第１の方向に移動することを特徴とする、請求項５に記載の電気外科用カウンタ。
【請求項７】
前記アクチュエータは、使用サイクルを検出するための前記手段が作動したときに第２の方向に移動することを特徴とする、請求項６に記載の電気外科用カウンタ。
【請求項８】
前記アクチュエータは、前記インジケータが、終了した消毒／使用サイクルの後で第１の方向および第２の方向に移動した後に単一の消毒／使用サイクルが終了したことを示すように、前記インジケータを移動させることを特徴とする、請求項７に記載の電気外科用カウンタ。
【請求項９】
電気外科用装置が経た消毒／使用サイクル数を追跡する電気外科用カウンタであって、
終了した消毒／使用サイクル数の変化を示すための複数の指標を有するインジケータと、
前記インジケータに連結された温度作動要素と、
前記インジケータに連結された機械的作動要素であって、プランジャを含み、そして該プランジャが使用サイクルの間に前記電気外科用装置内に付勢されるように、消毒サイクルの間に作動される機械的作動要素と、
を備え、
前記温度作動要素および前記機械的作動要素は、経た消毒／使用サイクル毎に単一の消毒／使用サイクルが終了したことを前記インジケータが示すように、前記指標の変化を生じさせることを特徴とする電気外科用カウンタ。
【請求項１０】
前記温度作動要素は、消毒サイクルの間に作動されることを特徴とする、請求項９に記載の電気外科用カウンタ。
【請求項１１】
前記プランジャは、前記電気外科用装置が電気外科用電源に接続されたときに、押し下げられ、前記電気外科用装置内に付勢されることを特徴とする、請求項９に記載の電気外科用カウンタ。
【請求項１２】
前記インジケータは、前記電気外科用装置についての残りの使用回数を示すことを特徴とする、請求項９に記載の電気外科用カウンタ。
【請求項１３】
前記インジケータは、前記電気外科用装置が経た消毒／使用サイクル数を示すことを特徴とする、請求項９に記載の電気外科用カウンタ。
【請求項１４】
電気外科用装置が経た消毒／使用サイクル数を追跡する電気外科用カウンタであって、
終了した消毒／使用サイクル数の変化を示すための１つまたは複数の指標を有するインジケータと、
前記インジケータに連結された温度作動要素と、
前記インジケータに連結された機械的作動要素と、
を備え、
前記温度作動要素および前記機械的作動要素は、経た消毒／使用サイクル毎に単一の消毒／使用サイクルが終了したことを前記インジケータが示すように、前記１つまたは複数の指標の変化を生じさせ、該１つまたは複数の指標が、前記インジケータに対して移動することを特徴とする電気外科用カウンタ。
【請求項１５】
電気外科用装置が経た消毒／使用サイクル数を追跡する電気外科用カウンタであって、
終了した消毒／使用サイクル数の変化を示すための１つまたは複数の指標を有するインジケータと、
前記インジケータに連結された温度作動要素と、
前記インジケータに連結された機械的作動要素と、
を備え、
前記温度作動要素および前記機械的作動要素は、経た消毒／使用サイクル毎に単一の消毒／使用サイクルが終了したことを前記インジケータが示すように、前記１つまたは複数の指標の変化を生じさせ、該１つまたは複数の指標が、前記インジケータに対して移動せず、前記インジケータは、前記指標のうちの異なる１つをユーザに示すように移動することを特徴とする電気外科用カウンタ。
【請求項１６】
電気外科用装置を廃棄しなければならなくなるまでの残りの使用回数を示すための複数の指標を有するインジケータと、
前記インジケータに連結されたアクチュエータと、
前記アクチュエータに連結され、消毒サイクルに応じて作動され、作動したときに前記アクチュエータを第１の方向に移動させる、温度作動要素であって、前記アクチュエータを押して該アクチュエータを前記第１の方向に移動させ、形状記憶合金を含む、温度作動要素と、
前記アクチュエータに連結され、前記アクチュエータを第２の方向に移動させる、機械的作動要素と、
を備え、
前記温度作動要素および前記機械的作動要素は、消毒／使用サイクル後の残りの使用回数を示すように、前記アクチュエータに指標の変化を生じさせることを特徴とする電気外科用消毒／使用カウンタ。
【請求項１７】
前記形状記憶合金は、前記電気外科用装置の使用の間、湾曲した形状であることを特徴とする、請求項１６に記載の電気外科用消毒／使用カウンタ。
【請求項１８】
前記形状記憶合金は、消毒サイクルの少なくとも一部の間、硬化したほぼ直線的な形状であることを特徴とする、請求項１７に記載の電気外科用消毒／使用カウンタ。
【請求項１９】
前記形状記憶合金は、前記アクチュエータを押して前記インジケータを移動させることを特徴とする、請求項１８に記載の電気外科用消毒／使用カウンタ。
【請求項２０】
所定回数の消毒／使用サイクル後に廃棄されるように設定された電気外科用装置に用いるための電気外科用ロックアウト機構であって、
前記電気外科用装置を廃棄しなければならなくなるまでの残りの使用回数を示すための複数の指標を有するインジケータと、
前記インジケータと係合して、残りの使用回数を示す前記指標のうちの異なる１つを示すように構成されたアクチュエータと、
前記アクチュエータに連結され、該アクチュエータを第１の方向に移動させるようになっている温度作動要素と、
前記アクチュエータに連結され、該アクチュエータを第２の方向に移動させるようになっている機械的作動要素と、
前記アクチュエータに連結され、機械プランジャを含み、前記温度作動要素および前記機械的作動要素と共に使用されるようになっているロックアウト機構と、
を備え、
前記ロックアウト機構は、前記電気外科用装置が所定回数の消毒／使用サイクルを経たときに該電気外科用装置の使用を防止するようにもなっていることを特徴とする電気外科用ロックアウト機構。
【請求項２１】
前記機械プランジャは、前記機械的作動要素を含むことを特徴とする、請求項２０に記載の電気外科用ロックアウト機構。
【請求項２２】
前記機械プランジャは、ユーザが前記電気外科用装置を電気外科用電源に接続するのを防止することを特徴とする、請求項２１に記載の電気外科用ロックアウト機構。
【請求項２３】
前記ロックアウト機構は、モジュール式電気外科用装置と共に使用されることを特徴とする、請求項２０に記載の電気外科用ロックアウト機構。
【請求項２４】
所定回数の消毒／使用サイクル後に廃棄されるように設定された電気外科用装置に用いるための電気外科用ロックアウト機構であって、
前記電気外科用装置を廃棄しなければならなくなるまでの残りの使用回数を示すための複数の指標を有するインジケータと、
前記インジケータと係合して、残りの使用回数を示す前記指標のうちの異なる１つを示すように構成されたアクチュエータと、
前記アクチュエータに連結され、該アクチュエータを第１の方向に移動させるようになっている温度作動要素と、
前記アクチュエータに連結され、該アクチュエータを第２の方向に移動させるようになっている機械的作動要素と、
前記アクチュエータに連結され、前記温度作動要素および前記機械的作動要素と共に使用されるようになっているロックアウト機構と、
を備え、
前記ロックアウト機構は、前記電気外科用装置が所定回数の消毒／使用サイクルを経たときに該電気外科用装置の使用を防止するようにもなっていて、前記ロックアウト機構は、モジュール式電気外科用装置と共に使用され、前記ロックアウト機構は、前記モジュール式電気外科用装置の異なる部分の結合を防止することによって、前記モジュール式電気外科用装置の使用を防止することを特徴とする電気外科用ロックアウト機構。
【請求項２５】
消毒／使用サイクル後の残りの使用回数を正確に示すように構成された、再使用可能な電気外科用装置に用いるための電気外科用消毒／使用カウンタであって、
前記電気外科用装置を廃棄しなければならなくなるまでの残りの使用回数をユーザに示すための複数の指標を有するインジケータと、
前記インジケータに連結されたアクチュエータと、
前記アクチュエータに連結された温度作動要素と、
前記アクチュエータに連結された機械的作動要素と、
を備え、
前記温度作動要素または前記機械的作動要素の一方は、指標の変化を生じるように前記アクチュエータを第１の方向に移動させ、前記アクチュエータは、前記温度作動要素または前記機械的作動要素の他方が前記アクチュエータを第２の方向に移動させるまで、前記指標の次の変化を生じさせることができないことを特徴とする電気外科用消毒／使用カウンタ。
【請求項２６】
前記インジケータは、直線的な形状であることを特徴とする、請求項２５に記載の電気外科用消毒／使用カウンタ。
【請求項２７】
前記インジケータは、直線的な方向にスライド可能であることを特徴とする、請求項２６に記載の電気外科用消毒／使用カウンタ。
【請求項２８】
前記インジケータは、円形状を有することを特徴とする、請求項２５に記載の電気外科用消毒／使用カウンタ。
【請求項２９】
前記インジケータは、前記指標のうちの異なる１つを表示するように回転可能であることを特徴とする、請求項２５に記載の電気外科用消毒／使用カウンタ。
【請求項３０】
前記インジケータは、ディスプレイを含むことを特徴とする、請求項２５に記載の電気外科用消毒／使用カウンタ。
【請求項３１】
前記ディスプレイは、７セグメント・ディスプレイを含むことを特徴とする、請求項３０に記載の電気外科用消毒／使用カウンタ。
【請求項３２】
前記ディスプレイは、デジタル・ディスプレイ、機械的ディスプレイ、または電子ディスプレイのうちの１つを含むことを特徴とする、請求項３１に記載の電気外科用消毒／使用カウンタ。
【請求項３３】
前記インジケータの不慮の移動を最小限にするための機構をさらに含むことを特徴とする、請求項２５に記載の電気外科用消毒／使用カウンタ。